(57)【要約】【課題】  受話器置台をユーザが受話器を取り上げやすい位置に簡素な手順で取り付けし、その位置を容易に固定することができる受話器置台と通信端末本体装置を提供する。【解決手段】  受話器４が載置される受話器載置部１５と、受話器載置部１５から垂下するブラケット１６と、このブラケット１６を厚み方向に貫通する第１の孔１７および第2の孔１８とを有する受話器置台４が取り付けられる通信端末本体装置２において、筐体と、筐体に形成される第３の孔２３と、前記筐体に形成される複数の第４の孔２４とを有し、前記各第４の孔２４は前記第３の孔２３を中心とする同心円上に配設した。【選択図】  図５
2006129198.tif 000002
【特許請求の範囲】
【請求項１】
受話器が載置される受話器載置部と、受話器載置部から垂下するブラケットと、このブラケットを厚み方向に貫通する第１の孔および第２の孔とを有する受話器置台が取り付けられる通信端末本体装置において、
筐体と、
筐体に形成される第３の孔と、
前記筐体に形成される複数の第４の孔とを有し、
前記各第４の孔は前記第３の孔を中心とする同心円上に配設されることを特徴とする通信端末本体装置。
【請求項２】
通信端末本体装置と受話器置台と受話器とを備えた通信端末装置であって、
前記受話器置台は、受話器が載置される受話器載置部と、受話器載置部から垂下するブラケットと、このブラケットを厚み方向に貫通する第１の孔および第２の孔と、前記第１の孔および第２の孔の周囲に形成され前記ブラケットの取付面から突出させた凸部とを有し、
前記通信端末本体装置は、筐体と、前記筐体に形成される第３の孔と、前記筐体に外表面から内側に退避して形成される複数の第４の孔と、前記第３の孔および各第４の孔の周囲に孔よりも浅く形成され、前記凸部が挿通される凹部とを有し、前記各第４の孔は、前記第３の孔を中心とする同心円上に配設されることを特徴とする通信端末装置。
【請求項３】
通信端末本体装置の筐体の外壁に取り付けられる受話器置台であり、受話器が載置される受話器載置部と、受話器載置部から垂下するブラケットと、このブラケットに形成され、筐体に取り付けられる取付部と、ブラケットを厚み方向に貫通する孔とを有する受話器置台において、前記孔は前記取付部を中心とする円弧形状を有することを特徴とする受話器置台。
【請求項４】
前記受話器載置部と、前記ブラケットと、前記取付部とは、合成樹脂を原料として一体的に成形されていることを特徴とする請求項３記載の受話器置台。
【請求項５】
請求項３または４記載の受話器置台と、
前記通信端末本体装置であって、前記筐体に形成された被取付部、および外表面から内側に凹む凹部を有する通信端末本体装置と、
蝶ネジとを備える通信端末装置において、
前記取付部を前記被取付部に取り付けることによって、前記受話器置台が、被取付部を中心として揺動可能に取着され、前記孔に挿通した前記蝶ネジを前記凹部にねじ込むことによって、受話器置台の前記外壁に対する位置が固定されることを特徴とする通信端末装置。
【発明の詳細な説明】
【技術分野】
【０００１】
本発明は、通信端末本体装置と、その筐体の外壁に取り付けられる受話器置台を有する通信端末装置に関する。
【背景技術】
【０００２】
従来の通信端末装置、たとえばファクシミリ装置には、取り付け、取り外し可能に受話器が備えられたものがある。この受話器は、通信端末本体装置の筐体に固定された受話器置台上に載置されるものであり、その使用時にはユーザは受話器置台から受話器を取り上げて通話し、通話が終了すると受話器は受話器置台上に置かれる。
【０００３】
図７は、従来の通信端末装置１ｃにおける受話器載置状態を示す。受話器置台４ｃは、その受話器載置部１５ｃの上面が水平な状態となるように、通信端末本体装置に固定されている。このように固定された受話器置台４ｃの受話器載置部１５ｃの高さは、通信端末本体装置２ｃの高さおよび通信端末本体装置２ｃを設置する面の高さによって、決定されてしまう。
【０００４】
したがって、受話器載置部１５ｃの高さは、必ずしもユーザにとって利便性の高い位置に、位置されるとは限らない。
そこで、前記受話器置台のファクシミリ装置本体装置に対する傾きを任意に変更可能として、ユーザが受話器を取り上げやすい角度に、受話器置台を配置できるようにした考案が、特許文献1に開示されている。
【０００５】
また、通信端末に取り付けられるものではないが、自動車用電話機を自動車の内部に取り付ける際、その電話機が置かれる置台の取り付け場所に汎用性を持たせるとともに、ユーザが電話機を取り上げやすい角度に置台の取り付け角度を変更できるようにした考案が、特許文献２に開示されている。
【０００６】
【特許文献１】実開昭６１−５６５９３号公報
【特許文献２】実開平２−７２０６０号公報
【発明の開示】
【発明が解決しようとする課題】
【０００７】
文献1には、受話器置台の傾きをユーザが受話器を取り上げやすい角度に回動させるための具体的な構造、および前記受話器置台の傾きをその角度で保持するための具体的な構造が、開示されていない。
【０００８】
文献２には金具の考案が開示されており、この金具は第１の基台と第２の基台と支持プレートとを有している。この金具を通信端末に利用する際、次の手順で金具が取り付けられることになる。まず、通信端末本体装置の筐体に第１の基台がネジで固定され、第１の基台に対して回動可能に第２の基台が調整ネジで取り付けられる。そして、第２の基台上に支持プレートがネジで固着され、その支持プレート上に受話器置台が載置される。このように取り付けされることによって、受話器置台が筐体に対して回動可能となるが、第1、第２の基台および支持プレートの形状は複雑であるため、これらを取り付ける作業は煩雑である。また、部材点数が多くなるという欠点もある。
【０００９】
したがって本発明は、受話器置台をユーザが受話器を取り上げやすい位置に簡素な手順で取り付けし、その位置を容易に固定することができる受話器置台と通信端末本体装置を提供することである。
【課題を解決するための手段】
【００１０】
本発明は、受話器が載置される受話器載置部と、受話器載置部から垂下するブラケットと、このブラケットを厚み方向に貫通する第１の孔および第2の孔とを有する受話器置台が取り付けられる通信端末本体装置において、筐体と、筐体に形成される第３の孔と、前記筐体に形成される複数の第４の孔とを有し、前記各第４の孔は前記第３の孔を中心とする同心円上に配設されることを特徴とする。
【００１１】
また、本発明は、通信端末本体装置と受話器置台と受話器とを備えた通信端末装置であって、前記受話器置台は、受話器が載置される受話器載置部と、受話器載置部から垂下するブラケットと、このブラケットを厚み方向に貫通する第１の孔および第2の孔と、前記第１の孔および第２の孔の周囲に形成され、前記ブラケットの取付面から突出させた凸部とを有し、前記通信端末本体装置は、筐体と、前記筐体に形成される第３の孔と、前記筐体に外表面から内側に退避して形成される複数の第４の孔と、前記第３の孔および各第４の孔の周囲に孔よりも浅く形成され、前記凸部が挿通される凹部とを有し、前記各第４の孔は、前記第３の孔を中心とする同心円上に配設されることを特徴とする。
【００１２】
以下に、通信端末本体装置へ受話器置台を取り付ける手順を説明する。まず、ユーザは受話器載置部の角度が受話器を取り上げやすい角度となるように決定し、そして、その角度が保持されるように、第３の孔の周囲の凹部に第１の孔の周囲の凸部を差し込み、いずれか１つの第４の孔の周囲の凹部に第２の孔の周囲の凸部を差し込む。この状態で、第１の孔から第３の孔にネジ部材をねじ込み、第２の孔から第４の孔へネジ部材をねじ込んで、受話器置台が通信端末装置に固定される。
【００１３】
このようにして、ユーザは、自分が受話器を取り上げやすい角度となるように、受話器置台を通信端末本体装置に簡単に固定することができる。また、受話器置台の角度を変更する場合は、各ネジ部材が取り外され、通信端末本体装置から受話器置台が取り外される。そして、再び上述したような手順で、ユーザは所望する角度で受話器置台を通信端末本体装置へ取り付ける。
【００１４】
このような簡素な手順で、ユーザは、受話器置台を所望する取り付け角度に固定することができるという効果が達成される。また、受話器置台とネジ部材のみの少ない部品点数で、上述の効果を達成することができる。
【００１５】
本発明は、通信端末本体装置の筐体の外壁に取り付けられる受話器置台であり、受話器が載置される受話器載置部と、受話器載置部から垂下するブラケットと、このブラケットに形成され、筐体に取り付けられる取付部と、ブラケットを厚み方向に貫通する孔とを有する受話器置台において、前記孔は前記取付部を中心とする円弧形状を有することを特徴とする。
【００１６】
また、前記受話器載置部と前記ブラケットと前記取付部とは合成樹脂を原料として一体的に成形されていることを特徴とする。
【００１７】
さらに、本発明は前記受話器置台と、前記通信端末本体装置であって、前記筐体に形成された被取付部、および外表面から内側に凹む凹部を有する通信端末本体装置と、蝶ネジとを備える通信端末装置において、前記取付部を前記被取付部に取り付けることによって、前記受話器置台が、被取付部を中心として揺動可能に取着され、前記孔に挿通した前記蝶ネジを前記凹部にねじ込むことによって、受話器置台の前記外壁に対する位置が固定されることを特徴とする。
【００１８】
前記受話器置台の通信端末本体装置への取り付け手順を説明すると、まず、通信端末本体装置の筐体に形成された被取付部に、受話器置台の取付部が取り付けられる。したがって、受話器置台が取付部を中心として揺動可能に通信端末本体装置に取着される。そして、受話器置台に設けられた孔に挿通された蝶ネジが、通信端末本体装置に設けられた凹部にねじ込まれる。したがって、蝶ネジと通信端末本体装置の筐体の外壁との間に受話器置台のブラケットが挟み込まれて、受話器置台が通信端末本体装置に固定される。
【００１９】
この通信端末装置においては、受話器が置かれる受話器載置部上面の取付角度を、容易に変更することが可能であり、その際には、まず蝶ネジが緩められる。すると、受話器置台は、その取付部を中心として孔の円弧の角度範囲内で通信端末本体装置に対して揺動可能となるので、ユーザは自分が受話器を取り上げやすい角度に、受話器置台の位置を調整することができ、そして、蝶ネジが凹部にねじ込まれてその位置が固定される。このような簡素な手順で、ユーザが受話器置台を所望する取り付け角度に固定することができるという効果が達成される。また、受話器載置部とブラケットと取付部とを有する受話器置台は合成樹脂を原料として一体的に成形されているので、受話器置台と蝶ネジのみの少ない部品点数で前記効果が達成される。
【発明の効果】
【００２０】
このような簡素な手順で、ユーザは、受話器置台を所望する取り付け角度に固定することができるという効果が達成される。
【発明を実施するための最良の形態】
【００２１】
以下、図面を参照して、本発明の第一実施形態の通信端末装置について説明する。図１は、通信端末装置１の斜視図である。以下、操作パネル１０が取り付けられている側を、通信端末装置１の正面側として説明する。通信端末装置１は、通信端末本体装置２と、通話時に使用される受話器３と、通信端末本体装置２の筐体の外壁に取り付けられ、受話器３が載置される受話器置台４と、を備えている。
【００２２】
通信端末本体装置２は、装置の上部に設けられ原稿の読み取りを行うスキャナ５と、原稿を自動で搬送するＡＤＦ（Auto Document Feeder）６と、データを印刷するプリンタ１１と、操作パネル１０と、前記通信端末本体装置２をかさ上げする架台１４と、を備えている。
【００２３】
スキャナ５は、その上面が透明ガラス板で構成されており、そのガラス板の上面に載置された原稿がスキャナ５により読み取られる。このガラス板の上面を覆うように原稿押さえカバー９が設けられており、このカバー9により原稿読み取り時の原稿のずれが防止される。この原稿押さえカバー９の上面には原稿排出トレイ８が形成され、その上方には原稿トレイ７が配設されている。前記原稿押さえカバー９の一端部に、ＡＤＦ６が配設されている。前記ＡＤＦ６は、前記原稿トレイ７と原稿排出トレイ８とに隣接するように配設されており、原稿トレイ７に載置された原稿は、ＡＤＦ６により自動搬送され、スキャナ５によりデータとして読み取られ、原稿排出トレイ８へ排出される。
【００２４】
前記スキャナ５によって読み取られたデータは、通信端末本体装置２の下部に配設されたプリンタ１１に送られ、このデータに基づいて文字や画像が記録紙に印刷される。記録紙は給紙カセット１３に保管されており、この給紙カセット１３はプリンタ１１の下部に着脱可能に設けられている。そこから印刷に必要な枚数の記録紙が取り出される。印刷された記録紙は、スキャナ５の下方に存在し、かつプリンタ１１の上面に形成された記録紙排出トレイ１２上に排出される。
【００２５】
次に、受話器３および受話器置台４について述べる。受話器３は、通信端末本体装置２の筐体に固定された受話器置台４に載置されるものであり、その使用時には、ユーザは受話器置台４から受話器３を取り上げて通話し、通話が終了すると受話器３は受話器置台４に置かれる。
【００２６】
図１に示されるように、受話器置台４は通信端末本体装置２の筐体の所定の位置に取り付けられ、詳しくは、スキャナ５の筐体の左側壁の後部寄りの位置に取り付けられる。
【００２７】
図２は受話器置台４を示し、（ａ）は右側面図、（ｂ）は平面図、（ｃ）は左側面図である。図３は、通信端末本体装置２の筐体に、受話器置台４を取り付けた状態を示す縦断面図である。
【００２８】
図２および図３に示されるように、前記受話器置台４は、その上方から見て略矩形の板状の受話器載置部１５を有しており、この受話器載置部１５の両長辺は、中央部付近で互いに近接するように緩やかな弧形状を有している。そして、受話器載置部１５の縦断面もまた上に凸となる緩やかな弧形状を有している。
【００２９】
また、受話器置台４は、矩形の薄板状の取付ブラケット１６を有している。この取付ブラケット１６は、受話器載置部１５の底面１５ａに連なっていて、受話器載置部１５の短手方向一端部側において、長手方向の中央部から垂下して延びている。このブラケット１６には、第１の孔１７が形成され、さらに第２の孔１８が形成されている。これらの各孔１７、１８は、いずれもブラケット１６を厚み方向に貫通した状態で空いている。そして各孔１７、１８の中心を結ぶ直線は、ブラケット１６の下辺に平行にされており、第１の孔１７はブラケット１６の長手方向の一方側（装置本体の正面側）寄りの位置に設けられ、第２の孔１８はブラケット１６の長手方向の他方側（装置本体の背面側）寄りの位置に設けられている。
【００３０】
このブラケット１６がスキャナ５の筐体の左側壁に取り付けられることによって、受話器置台４が通信端末本体装置２に取り付けられる。このブラケット１６のスキャナ５の筐体の左側壁に固設される側の面（以下、取付面３０）において、第１の孔１７の周囲に段付の凸部２１が形成されている。この凸部２１は小径部２１aと大径部２８から成り、孔１７の周囲に小径部２１ａが、小径部２１aの周囲に大径部２８が、そして小径部２１aが大径部２８よりも高くなるように形成されている。また、第２の孔１８の周囲にも段付の凸部２２が形成されている。この凸部２２も小径部２２aと大径部３２から成り、孔１８の周囲に小径部２２aが、小径部２２aの周囲に大径部３２が、そして小径部２２aが大径部３２よりも高くなるように形成されている。
【００３１】
そして、ブラケット１６の取付面３０とは反対側の面３１には、リブ１９が設けられていて、このリブ１９が受話器載置部１５の下面とブラケット１６とを支持する。
【００３２】
また、前記受話器置台４を構成する受話器載置部１５、ブラケット１６、前記突出部２９、前記各凸部２１、２２、およびリブ１９は合成樹脂、例えばＡＢＳ（アクロルニトリル−ブタジエン−スチレン樹脂）を原料とする一体構造体として成形されている。
【００３３】
次に、受話器置台４が取り付けられるスキャナ５の筐体について説明する。図４にスキャナ５の筐体の左側壁を示す。スキャナ５の筐体の左側壁には、前記第１の孔１７に位置合わせされる第３の孔２３と、前記第２の孔１８に位置合わせされるための複数の（例えば、本実施形態では3つ）第４の孔２４が形成されており、各第４の孔２４は第３の孔２３を中心とする同心円Ｄ上に配設されている。また第３の孔２３の周囲に前記凸部２１の小径部２１aが挿通される凹部２５が、各第４の孔２４の周囲に前記凸部２２の小径部２２aが挿通される凹部２６が、それぞれ孔２３、２４よりも浅く形成されている。
【００３４】
図５は、スキャナ５の筐体に、受話器置台４を傾斜させて取り付け、その台４上に受話器３を載置した状態を示している。この受話器置台４の取付角度は、スキャナ５の筐体に設けられた第４の孔２４の数と同じ数だけ選択することができる。
【００３５】
受話器置台４をスキャナ５の筐体に取り付ける手順を具体的に説明すると、ユーザは受話器載置部１５の上面の角度が受話器３を取り上げやすい角度となるように決定し、そして、その角度が保持されるように、第３の孔２３の周囲の凹部２５に第１の孔１７の周囲の段付凸部２１の小径部２１aを差し込み、いずれか１つの第４の孔２４の周囲の凹部２６に第２の孔１８の周囲の段付凸部２２の小径部２２aを差し込む。このように、通信端末本体装置２の筐体の凹部２５、２６に、受話器置台４の凸部２１、２２を差し込んで位置決めを行うことにより、第1の孔１７と第３の孔２３、第２の孔２２と第４の孔２４の位置合わせを簡単に行うことができる。この状態で、第１の孔１７から第３の孔２３にネジ部材２７をねじ込み、第２の孔１８から第４の孔２４へネジ部材２７をねじ込んで、受話器置台４がスキャナ５の筐体に固定される。また、前記凹部２５、２６および凸部２１、２２が遊嵌しているので、ネジ部材２７をねじ込む際に位置ズレが発生することもない。
【００３６】
さらに、ブラケット１６は突出部２９を有しており、この突出部２９は取付面３０の下縁部に沿うような略矩形枠状であり、この高さは大径部２８および大径部３２と、ほぼ同じ高さである。そして、通信端末本体装置２に受話器置台４を取り付けた状態では、受話器置台４の前記大径部２８、３２および突出部２９のみがスキャナ5の左側壁と当接する。このように、固定部分周辺のみを当接させ圧力を集中させることにより、通信端末本体装置2に対する受話器置台4のガタツキを防止している。
【００３７】
さらに、前記したように受話器置台4は合成樹脂を原料とする一体構造物として形成しているので、部品点数を少なくでき、取り付け時の作業性が向上する。また、受話器置台4はリブ１９により補強されているので、ユーザが受話器3を載置する際の衝撃によって受話器載置台４が変形あるいは破損することが防止される。
【００３８】
次に、本発明の他の実施形態の通信端末装置１ａについて説明する。図６は、スキャナ５ａの筐体に、受話器置台４ａを傾斜させて取り付け、その上に受話器３を載置した状態を示している。
【００３９】
この実施形態の受話器置台４ａは、先の実施形態の受話器置台４と基本的な構造は同じである。よって、この受話器置台４ａに特有の構成についてのみ以下に説明し、共通の構成については受話器置台４と同一であるので、同じ参照符号を付して説明は省略する。
【００４０】
受話器置台４ａは、スキャナ５ａの筐体の左側壁に固設される側の面が台形の薄板である取付ブラケット１６ａを有している。この取付ブラケット１６ａは、取付部としての取付孔３３と、受話器置台４ａの取付け角度を調整するための角度調整孔３４が形成されている。この角度調整孔３４は取付孔３３を中心とする円弧形状を有していて、ブラケット１６ａを厚み方向に貫通した状態で空いている。
【００４１】
そして、スキャナ５ａの筐体の左側壁には、図示しないが、被取付部としての被取付孔と、凹部としてのねじ孔とが設けられていて、これらの中心を結ぶ直線は、通信端末本体装置２ａ、詳しくはスキャナ５ａの左側壁の下面に平行にされている。
【００４２】
前記取付孔３３は、台形のブラケット３７の上辺（通信端末本体装置２ａの正面側、図６の右方）寄りの位置に設けられ、角度調整孔３４は台形のブラケット１６aの下辺（通信端末本体装置２ａの背面側、図６の左方）寄りの位置に設けられている。
この取付孔３３が被取付孔に取り付けられることによって、受話器置台４ａが被取付孔を中心として揺動可能になる。例えば取付孔３３に挿通されたネジ部材３３ａを被取付孔にねじ込むことによって、スキャナ５ａの左側壁に受話器置台４ａの取付けが行われる。
【００４３】
そして、ブラケット１６ａに設けられた角度調整孔３４に挿通された蝶ネジ３５が、スキャナ５ａの左側壁に設けられた角度調整孔３４にねじ込まれる。したがって、蝶ネジ３５とスキャナ５ａの左側壁との間に、受話器置台４ａのブラケット１６ａが挟み込まれて、受話器置台４ａが通信端末本体装置２ａのスキャナ５ａに、所定の取付角度で固定される。そして、受話器置台４ａの取付角度を変更する場合には、ユーザは蝶ネジ３５を緩めるとよい。すると、受話器置台４ａは被取付部を中心として揺動可能となるので、ユーザは受話器置台４ａを希望の角度になるように回動させ、その角度を保持できるように、蝶ネジ３５をねじ込んで、ブラケット１６ａをスキャナ５ａの左側壁に固定する。
【００４４】
このような簡単な手順で、ユーザは受話器置台４ａの取付角度を、自分が受話器３を取り上げやすい角度に固定できる。また、蝶ネジ３５を使用しているので、ユーザは工具を用いることなく受話器置台４ａの取付角度の調整を行うことができる。
【図面の簡単な説明】
【００４５】
【図１】本発明の一実施形態の通信端末装置１の斜視図である。
【図２】受話器置台４を示す図である。
【図３】スキャナ５に取り付けられた状態の受話器置台４の縦断面図である。
【図４】スキャナ５の筐体の左側壁を示す図である。
【図５】通信端末本体装置２の筐体に、受話器置台４を傾斜させて取り付けた状態を示す図である。
【図６】本発明の他の実施形態の通信端末装置１ａを示す図である。
【図７】従来装置１ｃを示す図である。
【符号の説明】
【００４６】
４  受話器置台
１５  受話器載置部
１６  ブラケット
１７  第１の孔
１８  第２の孔
２３  第３の孔
２４  第４の孔
３３  取付孔
３４  角度調整孔
３５  蝶ネジ
【図１】
2006129198.tif 000003
【図２】
2006129198.tif 000004
【図３】
2006129198.tif 000005
【図４】
2006129198.tif 000006
【図５】
2006129198.tif 000007
【図６】
2006129198.tif 000008
【図７】
2006129198.tif 000009